(57)【要約】【課題】信号を分配する際に他系統からの信号の回り込みを防止し、希望する信号のみを所定のレベルで取出すことができる信号分配装置を提供する。【解決手段】デジタル系ヘッドエンド１３の出力信号を方向性結合器２９で主系統３０と副系統４０に分岐する。主系統３０は入力信号を増幅器３１で増幅してレベル補償し、レベル調整器３２でレベル調整する。合成器１７は、主系統３０で増幅及びレベル調整された信号と他の再送信信号を合成し、分配器１９によりＥ／Ｏ変換器２０１〜２０ｎへ分配し、光信号に変換して光ファイバ２１１〜２１ｎより出力する。副系統４０は、方向性結合器２９で分岐された信号を帯域制限フィルタ４１で帯域制限して地上デジタル放送のみを抽出し、増幅器４２で増幅してレベル補償し、レベル調整器４３で所定レベルに調整した後、Ｅ／Ｏ変換器２０Ａで光信号に変換し、光ファイバ２１Ａにより再送信装置へ送出する。【選択図】      図１
2008147765.tif 000002
【特許請求の範囲】
【請求項１】
複数の信号源中の特定の信号源から出力される信号を主系統と副系統に分岐する方向性結合器と、
前記主系統に設けられ、前記方向性結合器から出力される信号を増幅する第１の増幅器と、
前記副系統に設けられ、前記方向性結合器で分岐された信号を帯域制限し、前記特定の信号源から出力される信号のみを抽出する帯域制限フィルタと、前記帯域制限フィルタで抽出された信号を増幅する第２の増幅器と、
を具備することを特徴とする信号分配装置。
【発明の詳細な説明】
【技術分野】
【０００１】
本発明は、例えばＣＡＴＶシステムのヘッドエンド装置において、高周波信号を分配する信号分配装置に関する。
【背景技術】
【０００２】
ＣＡＴＶシステムにおけるヘッドエンド装置は、例えば図２に示すように構成されている。図２において、１１はアナログ系ヘッドエンド、１２は衛星放送系ヘッドエンド、１３はデジタル系ヘッドエンドである。
【０００３】
上記アナログ系ヘッドエンド（ＨＥ）１１は、例えばＶＨＦ帯用受信アンテナ１４によりＶＨＦ帯のアナログＴＶ放送を受信し、周波数変換及び増幅等を行なって出力する。  
上記衛星放送系ヘッドエンド１２は、衛星放送受信用アンテナ１５によりＢＳ放送、ＣＳ放送等を受信し、再変調及び増幅等を行なって出力する。
【０００４】
上記デジタル系ヘッドエンド１３は、例えばＵＨＦ帯用受信アンテナ１６によりデジタル放送等を受信し、周波数変換及び増幅等を行なって出力する。
【０００５】
そして、上記アナログ系ヘッドエンド１１、衛星放送系ヘッドエンド１２及びデジタル系ヘッドエンド１３から出力される再送信信号は、合成器１７により合成された後、同軸ケーブル等の伝送路１８を介して分配器１９に入力され、複数の信号に分配される。上記分配器１９により分配された信号は、Ｅ／Ｏ（電気／光）変換器２０１〜２０ｎにより光信号に変換されてヘッドエンド装置から出力され、光ファイバ２１１〜２１ｎによりシステム加入者宅等へ送られる。
【０００６】
上記既存のヘッドエンド装置により種々の信号をサービスしている場合において、地上波デジタルの再送信のみ行なうサービスを追加する等、ある特定の放送帯域のみを抜き出すことが必要になる場合がある。
【０００７】
例えば地上波デジタル放送において、ビルや山等の影響により電波の届かない不感地帯を生じた場合、ビルの屋上や山頂等に再送信装置を設け、上記ヘッドエンド装置から地上波デジタルの放送帯域のみを抜き出して上記再送信装置に送信する必要がある。
【０００８】
上記のように既存のヘッドエンド装置において、地上波デジタルの再送信のみ行なうサービスを追加するような場合、従来では図３に示すようにデジタル系ヘッドエンド１３の出力側に分配器２２を設け、一方の分配信号を合成器１７に入力し、他方の分配信号を新たに設置したＥ／Ｏ変換器２０Ａに入力し、このＥ／Ｏ変換器２０Ａから出力される光信号を光ファイバ２１Ａにより上記再送信装置へ送出している。上記分配器２２としては、例えば磁性体に巻線を施してトランスを形成したものが一般に使用されている（例えば、特許文献１参照。）。
【特許文献１】特開昭５４−２６８６７号公報
【発明の開示】
【発明が解決しようとする課題】
【０００９】
上記のように既存のヘッドエンド装置におけるデジタル系ヘッドエンド１３の出力側に分配器２２を設けて信号を分配することにより、地上波デジタルの放送帯域のみを抜き出して再送信装置に送信することができる。
【００１０】
しかし、通常の分配器２２を使用した場合、矢印ａで示すように他の系統の信号が分配器２２を経由して地上波デジタルの再送信系統に回り込むという問題を生じる。なお、他の系統の信号が分配器２２を経由して地上波デジタルの再送信系統に回り込んだ場合、再送信装置にフィルタを設けることによって不要波を除去することは可能である。しかし、複数の再送信装置を設置するような場合には、不要波を除去するためのフィルタを各再送信装置に設けなければならず、フィルタを装着する手間が係ると共にコスト的にも問題となる。
【００１１】
また、デジタル系ヘッドエンド１３の出力信号を分配器２２により分配するため、元の系統すなわち合成器１７側の系統への供給レベルが不足するという問題を生じる。
【００１２】
本発明は上記の課題を解決するためになされたもので、特定の信号源から出力される信号を分配する際に信号の回り込みを防止し、希望する信号のみを所定のレベルで取出すことができる信号分配装置を提供することを目的とする。
【課題を解決するための手段】
【００１３】
複数の信号源中の特定の信号源から出力される信号を主系統と副系統に分岐する方向性結合器と、前記主系統に設けられ、前記方向性結合器から出力される信号を増幅する第１の増幅器と、前記副系統に設けられ、前記方向性結合器で分岐された信号を帯域制限し、前記特定の信号源から出力される信号のみを抽出する帯域制限フィルタと、前記帯域制限フィルタで抽出された信号を増幅する第２の増幅器とを具備することを特徴とする。
【発明の効果】
【００１４】
本発明によれば、特定の信号源から出力される信号を方向性結合器により主系統と副系統に分岐することで、主系統から副系統への信号流出を抑えることができる。更に、各系統で増幅器を用いて信号増幅することにより、各系統の出力信号レベルを規定値に保つことができると共に、主系統から副系統への信号流出を更に抑えることができる。
【発明を実施するための最良の形態】
【００１５】
以下、図面を参照して本発明の一実施形態を説明する。  
図１は本発明に係る信号分配装置をヘッドエンド装置に実施した場合の構成例を示すブロック図である。なお、図３に示したヘッドエンド装置と同一部分には同一符号を付して詳細な説明は省略する。
【００１６】
ヘッドエンド装置のデジタル系ヘッドエンド１３から出力される信号は、方向性結合器２９を介して主系統３０へ送られる。この主系統３０には、レベル補償を行なう増幅器３１及び出力レベルを調整するアッテネータ等のレベル調整器３２が設けられる。この主系統３０で調整された信号は合成器１７へ送られ、アナログ系ヘッドエンド１１及び衛星放送系ヘッドエンド１２から出力される再送信信号と合成され、分配器１９により複数の信号に分配される。この分配器１９で分配された信号は、それぞれＥ／Ｏ変換器２０１〜２０ｎにより光信号に変換され、光ファイバ２１１〜２１ｎを介してシステム加入者宅等へ送出される。
【００１７】
また、上記方向性結合器２９で分岐された信号は、副系統４０へ送られる。この副系統４０には、必要帯域のみ、この実施例では地上デジタル放送のみを抽出する帯域制限フィルタ４１が設けられると共に、信号を増幅してレベル補償を行なう増幅器４２及び出力レベルを調整するアッテネータ等のレベル調整器４３が設けられる。上記副系統４０で調整された信号は、Ｅ／Ｏ変換器２０Ａへ送られて光信号に変換され、光ファイバ２１Ａにより上記再送信装置へ送出される。
【００１８】
上記の構成において、デジタル系ヘッドエンド１３から出力される地上波デジタル放送の再送信信号は、方向性結合器２９によって主系統３０と副系統４０に分岐される。主系統３０は、方向性結合器２９を介して送られてくる信号に対し、増幅器３１で増幅してレベル補償を行ない、レベル調整器３２で規定レベルとなるようにレベル調整を行なった後、合成器１７へ出力する。上記主系統３０で増幅及びレベル調整された信号は、合成器１７によりアナログ系ヘッドエンド１１及び衛星放送系ヘッドエンド１２から出力される再送信信号と合成された後、分配器１９によりＥ／Ｏ変換器２０１〜２０ｎへ送られて光信号に変換され、光ファイバ２１１〜２１ｎを介してシステム加入者宅等へ送出される。
【００１９】
一方、副系統４０は、方向性結合器２９で分岐された信号を帯域制限フィルタ４１により帯域制限して地上デジタル放送のみを抽出し、増幅器４２で増幅してレベル補償する。この増幅器４２で増幅された信号のレベルをレベル調整器４３で所定のレベルに調整する。そして、上記副系統４０で調整された信号は、Ｅ／Ｏ変換器２０Ａへ送られて光信号に変換され、光ファイバ２１Ａにより上記再送信装置へ送出される。
【００２０】
上記のようにデジタル系ヘッドエンド１３から出力される信号を方向性結合器２９により主系統３０と副系統４０に分岐することで、主系統３０から副系統４０への信号流出を抑えることができる。更に、主系統３０及び副系統４０でそれぞれ増幅器を用いて信号増幅することにより、各系統から出力される信号レベルを規定値に保つことができると共に、主系統３０から副系統４０への信号流出を更に抑えることができる。
【００２１】
また、方向性結合器２９を用いて信号を主系統３０と副系統４０に分岐する共に、主系統３０の増幅器３１及び副系統４０の増幅器４２で信号を増幅することにより、帯域制限フィルタ４１に必要とされる性能、すなわち帯域外減衰特性を高性能なものにする必要がなくなり、安価なフィルタ特性のものを採用することができる。
【００２２】
上記実施形態によれば、ヘッドエンド装置側で不要波を除去して地上デジタル放送のみを確実に抽出し、不感地帯に設けられる再送信装置に送出することができるので、再送信装置を複数設置する場合でも、各再送信装置に不要波を除去して地上デジタル放送のみを選択するフィルタを設ける必要がなく、フィルタ装着の手間を省略できると共にコストの低下を図ることができる。
【００２３】
なお、上記実施形態では、ヘッドエンド装置から地上デジタル放送を抽出する場合について示したが、その他の特定放送波帯のみを抽出する場合に適用し得るものである。
【００２４】
また、上記実施形態では、ヘッドエンドの出力信号をＥ／Ｏ変換器により光信号に変換して出力する場合について説明したが、光信号に変換することなく、電気信号をそのまま出力する場合においても同様にして実施し得るものである。
【００２５】
また、本発明は、上記実施形態そのままに限定されるものではなく、実施段階ではその要旨を逸脱しない範囲で構成要素を変形して具体化できるものである。
【図面の簡単な説明】
【００２６】
【図１】本発明の一実施形態に係るヘッドエンド装置の構成を示すブロック図である。
【図２】従来のヘッドエンド装置の構成を示すブロック図である。
【図３】既存のヘッドエンド装置において、特定の放送帯域のみを抽出して出力する場合の構成例を示すブロック図である。
【符号の説明】
【００２７】
１１…アナログ系ヘッドエンド（ＨＥ）、１２…衛星放送系ヘッドエンド、１３…デジタル系ヘッドエンド、１４…ＶＨＦ帯用受信アンテナ、１５…衛星放送受信用アンテナ、１６…ＵＨＦ帯用受信アンテナ、１７…合成器、１８…伝送路、１９…分配器、２０１〜２０ｎ、２０Ａ…Ｅ／Ｏ（電気／光）変換器、２１１〜２１ｎ、２１Ａ…光ファイバ、２２…分配器、２９…方向性結合器、３０…主系統、３１…増幅器、３２…レベル調整器、４０…副系統、４１…帯域制限フィルタ、４２…増幅器、４３…レベル調整器
【図１】
2008147765.tif 000003
【図２】
2008147765.tif 000004
【図３】
2008147765.tif 000005